(57)【要約】【課題】突合せ障子を突合せ位置でストップする障子ストッパーが室内側、室外側から目視されないようにした四枚建て引違いサッシとする。【解決手段】サッシ枠１の下枠１１は、その上面が縦向面１１ｃを有する階段形状で、突合せ障子２の下框２１の下面は鉤形状で、この下框２１の下面と下枠１１の縦向面１１ｃとで下向きの凹陥部２５を形成し、その凹陥部２５は突合せ障子２の召合せ框２３の内面２３ａまで連続し、前記下枠１１に障子ストッパー６を取付け、この障子ストッパー６は凹陥部２５内に位置している。  これによって、突合せ障子２が突合せ位置まで移動すると召合せ框２３の内面２３ａが障子ストッパー６に接してストップする。その障子ストッパー６は凹陥部２５内に位置しているから室内側、室外側から目視されない。【選択図】図３
2006063664.tif 000002
【特許請求の範囲】
【請求項１】
サッシ枠に二枚の突合せ障子と二枚の戸当り障子を装着した四枚建て引違いサッシにおいて、
前記サッシ枠の下枠上面は、室内側部上面が室外側部上面よりも高く、その室内側部上面と室外側部上面が縦向面で連続した階段形状で、
前記突合せ障子の下框と前記縦向面とで下向きに開口し、前記突合せ障子の召合せ框の内面まで連続した凹陥部を構成し、
前記下枠に障子ストッパーが取付けられ、この障子ストッパーは前記凹陥部内に位置し、かつ前記突合せ障子の召合せ框の内面と対向していることを特徴とする四枚建て引違いサッシ。
【請求項２】
サッシ枠に二枚の突合せ障子と二枚の戸当り障子を装着した四枚建て引違いサッシにおいて、
前記突合せ障子の下框は、その下部に下向きに開口し、前記突合せ障子の召合せ框の内面まで連続した凹陥部を有し、
前記下枠に障子ストッパーが取付けられ、この障子ストッパーは前記凹陥部内に位置し、かつ前記突合せ障子の召合せ框の内面と対向していることを特徴とする四枚建て引違いサッシ。
【請求項３】
障子ストッパーは、召合せ框内面が衝突した際に弾性圧縮変形するものとした請求項１又は２記載の四枚建て引違いサッシ。
【発明の詳細な説明】
【技術分野】
【０００１】
本発明は、二枚の突合せ障子と二枚の戸当り障子をサッシ枠に面内方向に移動自在に装着した四枚建て引違いサッシサッシに関する。
【背景技術】
【０００２】
特許文献１及び特許文献２に、二枚の突合せ障子と二枚の戸当り障子をサッシ枠に面内方向に移動自在に装着した四枚建て引違いサッシが開示されている。
この四枚建て引違いサッシは、二枚の突合せ障子を突合せると共に、二枚の戸当り障子をサッシ枠の左右の縦枠に当接して閉じ状態とし、この状態で突合せ障子と戸当り障子をクレセント錠などで施錠するのが一般的である。
このために、一方の突合せ障子が突合せ位置よりも他方の突合せ障子側に移動してしまうと、その一方の突合せ障子と一方の戸当り障子が面内方向に離れ、クレセント錠で施錠できないことがある。
また、一方の突合せ障子と一方の戸当り障子をクレセント錠で施錠しても、他方の突合せ障子と他方の戸当り障子を施錠しない場合には、その施錠した一方の突合せ障子と一方の戸当り障子が一体となって他方の突合せ障子側に移動してしまう。
これらのことを防止するには、突合せ障子を突合せ位置よりもその突合せ障子と対向した他の突合せ障子側（以下反対側という）に移動しないようにする必要がある。
前述の特許文献１，２に開示された四枚建て引違いサッシにおいては、二枚の突合せ障子を室内側に引き寄せるための引寄せ具が、サッシ枠の上枠、下枠に取付けてあるので、その引寄せ具によって二枚の突合せ障子が突合せ位置よりも反対側に移動しないようにできる。
【０００３】
【特許文献１】実公昭５６−３５０５号公報
【特許文献２】特公昭６３−６４５８８号公報
【発明の開示】
【発明が解決しようとする課題】
【０００４】
前述した従来の四枚建て引違いサッシにおける引寄せ具は、サッシ枠の上枠の下面、下枠の上面に取付けられ、その引寄せ具に二枚の突合せ障子の突合せ框が接するので、この引寄せ具は障子開放状態は勿論のこと障子閉じ状態でも目視されるから、見栄えの悪い四枚建て引違いサッシである。
【０００５】
本発明の目的は、突合せ障子が突合せ位置よりも反対側に移動しないようにできるし、見栄えの良い四枚建て引違いサッシを提供することである。
【課題を解決するための手段】
【０００６】
第１の発明は、サッシ枠に二枚の突合せ障子と二枚の戸当り障子を装着した四枚建て引違いサッシにおいて、
前記サッシ枠の下枠上面は、室内側部上面が室外側部上面よりも高く、その室内側部上面と室外側部上面が縦向面で連続した階段形状で、
前記突合せ障子の下框と前記縦向面とで下向きに開口し、前記突合せ障子の召合せ框の内面まで連続した凹陥部を構成し、
前記下枠に障子ストッパーが取付けられ、この障子ストッパーは前記凹陥部内に位置し、かつ前記突合せ障子の召合せ框の内面と対向していることを特徴とする四枚建て引違いサッシである。
【０００７】
第２の発明は、サッシ枠に二枚の突合せ障子と二枚の戸当り障子を装着した四枚建て引違いサッシにおいて、
前記突合せ障子の下框は、その下部に下向きに開口し、前記突合せ障子の召合せ框の内面まで連続した凹陥部を有し、
前記下枠に障子ストッパーが取付けられ、この障子ストッパーは前記凹陥部内に位置し、かつ前記突合せ障子の召合せ框の内面と対向していることを特徴とする四枚建て引違いサッシである。
【０００８】
第１・第２の発明においては、その障子ストッパーは、召合せ框内面が衝突した際に弾性圧縮変形するものであることが好ましい。
このようにすれば、衝突時の衝撃を吸収緩和できる。
【発明の効果】
【０００９】
請求項１，２に係る発明によれば、突合せ障子の召合せ框内面が障子ストッパーに接することで、その突合せ障子が突合せ位置よりも反対側に移動しないようにできる。
また、障子ストッパーは凹陥部内に位置しているから障子開放状態でも障子閉じ状態でも目視されることがなく、見栄えが良い。
【発明を実施するための最良の形態】
【００１０】
図１と図２に示すように、サッシ枠１に二枚の突合せ障子２と二枚の戸当り障子３が面内方向に移動自在に装着してある。
前記突合せ障子２はサッシ枠１の面外方向一側部（室外側部）に装着され、戸当り障子３はサッシ枠１の面外方向他側部（室内側部）に装着してある。
前記サッシ枠１は、上枠１０と下枠１１と左右の縦枠１２を方形状に連結してある。
前記突合せ障子２は、上框２０と下框２１と突合せ框２２と召合せ框２３を方形状に連結し、その内部にガラス２４を装着してある。
前記戸当り障子３は、上框３０と下框３１と戸当り框３２と召合せ框３３を方形状に連結し、その内部にガラス３４を装着してある。
前記二枚の突合せ障子２の突合せ框２２相互を突合せ、二枚の戸当り障子３の戸当り框３２を縦枠１２に当接して障子閉じ状態とし、この状態で突合せ框２の召合せ框２３と戸当り障子３の召合せ框３３をクレセント錠４で施錠する。
【００１１】
前記各突合せ障子２の上框２０、下框２１の面外方向一側面（室内側面）における突合せ框２２寄りに、クレセントストッパー５がそれぞれ取付けてある。
前記突合せ障子２を縦枠１２に向けて移動して開放する際に、このクレセントストッパー５が戸当り障子３の召合せ框３３に当接して突合せ障子２の突合せ框２２がクレセント４に衝突しないようにしてある。
このクレセントストッパー５は上枠１０、下枠１１に取付けても良いし、いずれにも取付けないようにしても良い。
【００１２】
前記下枠１１には２つの障子ストッパー６がそれぞれ取付けてある。
前記突合せ障子２を図１、図２に示すように、突合せ框２２相互が接した突合せ位置まで移動すると、その突合せ障子２の召合せ框２３が障子ストッパー６に当接して位置決めすると共に、その突合せ障子２が突合せ位置よりも反対側に移動しないようにストップする。
【００１３】
前述の障子ストッパー６により突合せ障子２をストップする部分の形状を図３、図４、図５に基づいて説明する。なお、図３、図４、図５は理解を容易とするためにガラス装着部や戸車などを省略して概略的に図示しており、後述する具体形状とは形状、寸法等が異なる。
下枠１１は、室内側部上面１１ａが室外側部上面１１ｂよりも高く、その室内側部上面１１ａと室外側部上面１１ｂが縦向面１１ｃで連続し、この下枠１１の上面は階段形状である。
突合せ障子２の下框２１は、横向き部２１ａと室外側垂下部２１ｂを有し、その下面２１ｃはほぼ鉤形状である。
この下框２１の長手方向一端面２１ｄが突合せ框２２の内面２２ａに当接して連結され、下框２１の長手方向他端面２１ｅが召合せ框２３の内面２３ａに当接して連結される。
二枚の突合せ障子２は下枠１１の室外側部上面１１ｂに沿って面内方向に移動する。
【００１４】
前記下框２１の室外側垂下部２１ｂは下枠１１の縦向面１１ｃと対向し、その縦向面１１ｃと下框２１の下面２１ｃとでほぼ下向きの凹陥部２５を形成する。この凹陥部２５は突合せ框２２の内面２２ａ、召合せ框２３の内面２３ａまで連続している。
前記障子ストッパー６は下枠１１に、前記下向きの凹陥部２５内に位置して取付けてある。例えば、下枠１１の縦向面１１ｃに接するように、その縦向面１１ｃに螺合したビス７で取付けられ、この障子ストッパー６は突合せ框２２の内面２２ａ、召合せ框２３の内面２３ａと相対向する。図４に示すように障子ストッパー６は下框２１の室外側垂下部２１ｂよりも下方には突出しない。
そして、突合せ障子２が開放位置と突合せ位置とに亘って移動する際に下框２１は障子ストッパー６に対して移動して常時下框２１の長手方向内に位置する。
【００１５】
このようであるから、突合せ障子２を矢印方向に移動して突合せ位置まで移動すると、図５に示すように召合せ框２３の内面２３ａが障子ストッパー６に衝突して反対側に移動しないようにストップする。
また、障子ストッパー６は下枠１１の室内側部上面１１ａよりも下方位置であるから、室内側から障子ストッパー６が見えない。
また、障子ストッパー６は下框２１の室外側垂下部２１ｂよりも室内側に位置しているから、室外側から障子ストッパー６が見えない。つまり、凹陥部２５内に位置しているので、室内・外側から見えない。
【００１６】
前記障子ストッパー６は召合せ框２３の内面２３ａが衝突した際に弾性圧縮変形して衝撃力を吸収緩和できるようにすることが好ましい。
例えば、硬質の本体８の端部に軟質の当接材９を設け、その当接材９に召合せ框２３の内面２３ａが衝突して弾性圧縮変形するようにしてある。
この実施の形態では、本体８の両端部に当接材９をそれぞれ設け、一方の突合せ障子２の障子ストッパー６と他方の突合せ障子２の障子ストッパー６を兼用できるようにしてある。
【００１７】
次に、具体形状を説明する。
前記上枠１０は図６に示すように、室内側上レール４０と室外側上レール４１を備えている。
前記下枠１１は図６に示すように、前述した下枠１１と同様に室内側部上面１１ａと室外側部上面１１ｂと縦向面１１ｃで段階形状の上面を有し、その室内側部上面１１ａに室内側立上り片４２，室内側下レール４３が設けてあり、室外側部上面１１ｂに室外側下レール４４が設けてある。
前記縦枠１２は図７に示すように、室内側内向片４５と室内側寄り戸当り片４６を有し、この室内側寄り戸当り片４６に戸当り障子３の戸当り框３２（引寄せ片）が当接する。
前記上枠１０、下枠１１、縦枠１２は、アルミ等の金属製の室内側部材ａと室外側部材ｂを断熱材ｃで連結した断熱形材である。
前記上枠１０の室内側部材ａと室外側部材ｂの内面に跨って上枠カバー材４７が取付けてあり、この上枠カバー材４７で断熱材ｃを覆って下方から見えないようにしてある。
前記下枠１１の室内側部材ａと室外側部材ｂの内面に跨って下枠カバー材４８が取付けてあり、この下枠カバー材４８で断熱材ｃを覆って上方から見えないようにしてある。この下枠カバー材４８は図８に示すように下枠１１の長手方向中央部と長手方向両側部にそれぞれ取付けてあり、下枠カバー材４８は三分割されている。
【００１８】
前記各上框２０，３０は図６に示すように上向き凹部５０，５１を有し、その突合せ障子２の上框２０の上向き凹部５０に室外側上レール４１が入り込み、戸当り障子３の上框３０の上向き凹部５１に室内側上レール４０が入り込んでいる。
前記各下框２１，３１には戸車５２，５３がそれぞれ取付けてあり、その突合せ障子２の戸車５２が室外側下レール４４に接し、戸当り障子３の戸車５３が室内側下レール４３に接している。
前記上框２０，３０、下框２１，３１、突合せ框２２、戸当り框３２、戸当り障子３の召合せ框３３は図６と図７に示すようにアルミ等の金属製の室内側部材ｄと室外側部材ｅを断熱材ｆで連結した断熱形材である。突合せ障子２の召合せ框２３はアルミ等の金属製である。
【００１９】
このように、サッシ枠１は室内側部と室外側部とに熱が伝わり難い断熱サッシ枠で、その室外側部に突合せ障子２、室内側部に戸当り障子３がそれぞれ面内方向に移動自在に装着してある。
また、戸当り障子３は室内側部と室外側部とに熱が伝わり難い断熱障子で、突合せ障子２は上部と下部と突合せ部の室内側部と室外側部とに熱が伝わり難い断熱障子であって、図７に示すように各障子を閉じた状態で室内と室外とに熱が伝わり難い断熱四枚建て引違いサッシである。
【００２０】
次に、突合せ障子２を突合せ位置でストップする部分の形状を説明する。
図９に示すように、前記突合せ障子２の下框２１は、その室内側板６０の下部寄りが横向き部６０ａと縦向部６０ｂで鉤形に折曲して縦向部６０ｂが上部寄り部６０ｃよりも室外側寄りに位置し、この縦向部６０ｂと室外側縦板６１の下端部分６１ａで前述の室外側垂下部２１ｂを構成している。前記室内側板６０、室外側板６１における横向板６２よりも上方に突出した突出部６０ｄ，６１ｂと前述の横向板６２でガラス取付用の上向きの凹部６３を形成している。
この室内側垂下部２１ｂに戸車５２が取付けてある。
前記室内側縦板６０の縦向部６０ｂが下枠１１の縦向面１１ｃ（室外側部材ｂの立上り片）と対向し、この縦向部６０ｂと横向部６０ａ（下框２１の下面）と縦向面１１ｃで前述の下向きの凹陥部２５を形成している。
【００２１】
前記下枠１１の縦向面１１ｃに前述の障子ストッパー６が取付けてある。
この障子ストッパー６は下框２１の下端面（室外側縦板６１の下端面）よりも下方に突出しているが、その突出寸法は極わずかであるから問題がない。特に、この実施の形態では室外側下レール４４よりも室内寄りであるから、その室外側下レール４４で室外側から目視されない。
【００２２】
前記突合せ障子２の突合せ框２２と召合せ框２３は図１０に示すように、面外方向に向かう内側板６４と、この内側板６４よりも面内方向の内側に突出した室内側板６５と室外側板６６を有し、その内側板６４と室内側板６５、室外側板６６の突出部６５ａ，６６ａで内向きのガラス取付用の凹部６７を形成している。
図１１と図１２に示すように、前記下框２１の室外側板６１の突出部分６１ｂにおける召合せ框２３と対向した部分と、前記突合せ障子２の召合せ框２３の室内側板６５の突出部６５ａにおける下框２１と対向した部分をそれぞれ切欠きし、下框２１の端面２１ｄを突合せ框２２の横向板６４に当接してビスで連結し、下框２１の他端面２１ｅを召合せ框２３の横向板６４にそれぞれ当接してビスで連結する。
つまり、この実施の形態では横向板６４が前述の突合せ框２２、召合せ框２３の内面２２ａ，２３ａである。
なお、上框２０も下框１０と同様にして突合せ框２２、召合せ框２３の横向板６２，６４に当接してビスで連結してある。
【００２３】
次に、サッシ枠１と戸当り障子３との間を気密する構造について説明する。
図６と図７に示すように、下枠１１の室内側内向片４２、縦枠１２の室内側内向片４５に室内側下横気密材７０、室内側縦気密材７１がそれぞれ室外側に向けて取付けてある。
前記下框３１の室内側下部が前記室内側下横気密材７０に圧接し、戸当り框３２の室内側部が室内側縦気密材７１に圧接する。
前記上框３０の上向き凹部５１の室内外側開口縁に室内外側上横気密材７２，７３が取付けてあり、この気密材７２，７３が室内側上レール４０の室内外側面に圧接する。
前記下框３１の室外側下部に室外側下横気密材７４が室内側に向けて取付けてあり、この気密材７４が室内側下レール４３の室外側面に圧接する。
これによって、サッシ枠１と戸当り障子３との間が気密される。
【００２４】
次に、サッシ枠１と突合せ障子２との間を気密する構造について説明する。
図６に示すように、上框２０の上向き凹部５０の室内外側開口縁に室内外側上横気密材７５，７６が取付けられ、この気密材７５，７６が室外側上横レール４１の室内外側面に圧接する。
下框２１の室外側下部に室外側下横気密材７７が室内側に向けて取付けられ、この気密材７７が室外側下レール４４の室外側面に圧接する。
図６、図７、図８に示すように前記下枠１１の長手方向中央部に設けた下枠カバー材４８に室内側下横気密材７８が室外側に向けて取付けてあり、この気密材７８が下框２１の室内側下部に圧接する。
【００２５】
図８に示すように、前記戸当り障子３の室内側下横気密材７０は下枠１１の左右両端寄り部にそれぞれ取付けてあり、この室内側下横気密材７０は室内側縦気密材７１と連続する。前記突合せ障子２の室内側下部横気密材７８は下枠１１の左右中央部に取付けてある。
前記下枠１１の上面における左右寄りの室内側下レール４３を境とした室内側部に、室内側下枠気密材（風止板）８０、室外側下枠気密材（風止板）８１がそれぞれ取付けてあり、二つの戸当り障子３を閉じた状態で各召合せ框３３の下部が接する。
【００２６】
図１０に示すように、前記一方の突合せ障子２の突合せ框２２の室内寄り突合せ面（室内側部材ｄの面内方向外面）に室内側突合せ気密材８２が取付けてあり、この気密材８２の下部が前記室内側下横気密材７８と接している。前記突合せ框２２の室外寄り突合せ面は一対の突片８３を有している。
前記他方の突合せ障子２の突合せ框２２の室内寄り突合せ面が前記室内側突合せ気密材８２に圧接する気密面８４で、その突合せ框２２の室外寄り突合せ面は凹んで前記一対の突片８３が嵌まり合う凹陥部８５を形成し、この凹陥部８５には一対の突片８３が圧接する一対の室外側突合せ気密材８６がそれぞれ取付けてある。
これによって、突合せ框２２相互の突合せ部を気密する。
【００２７】
図１３〜図１５に示すように、前記各突合せ障子２の突合せ框２２、召合せ框２３の上部、下部には上部摺動片９０、下部摺動片９１がそれぞれ取付けてある。
前記各上部摺動片９０は室内外側上横気密材７５，７６とそれぞれ接し、一方の突合せ框２２に取付けた上部摺動片９０は、図１３に示すように、室内側突合せ気密材８２の上部と一対の突片８３の上部にそれぞれ接し、下部摺動片９１が一対の突片８３の下部寄りに接する。
これによって、一方の突合せ障子２の室内外側上横気密材７５，７６と突合せ框２２の一対の突片８３と下部摺動片９１が連続する。
前記他方の突合せ框２２に取付けた上部摺動片９０は図１４に示すように、一対の室外側突合せ気密材８６の上部に接し、この室外側突合せ気密材８６の下部が下部摺動片９１に接する。
これによって、他方の突合せ障子２の室内外側上横気密材７５，７６と室外側突合せ気密材８６が連続する。
【００２８】
このようであるから、サッシ枠１の上枠１０と二枚の突合せ框２の上框２０との間の気密部と突合せ框２２の突合せ部の気密部とサッシ枠１の下枠１１と二枚の突合せ框２の下框２１との間の気密部が連続し、気密性が優れたものである。
【００２９】
前述の実施の形態は下枠１１の上面が階段形状である場合で、その下枠１１の上面が平坦面の場合には突合せ障子２の下框２１の下面に下向きに開口した凹陥部を形成し、障子ストッパー６がこの凹陥部内に臨むように取付け、召合せ框２３の内面２３ａが障子ストッパー６に接するようにすれば良い。
例えば、図１６に示すように突合せ障子２の下框２１の下面に下向きに開口した凹陥部２５を形成し、下枠１１の上面に障子ストッパー６を取付ける。
この障子ストッパー６は凹陥部２５内に位置し、突合せ障子２を突合せ位置に移動すると召合せ框２３の内面２３ａが接する。
【図面の簡単な説明】
【００３０】
【図１】本発明の実施の形態を示す四枚建て引違いサッシの内観図である。
【図２】本発明の実施の形態を示す四枚建て引違いサッシの外観図である。
【図３】召合せ障子のストップ部分の概略斜視図である。
【図４】図３の縦断面図である。
【図５】突合せ障子と障子ストッパーを室内側から見た正面図である。
【図６】四枚建て引違いサッシの詳細縦断面図である。
【図７】四枚建て引違いサッシの詳細横断面図である。
【図８】サッシ枠のみの詳細横断面図である。
【図９】下枠部分の拡大縦断面図である。
【図１０】突合せ障子部分の拡大横断面図である。
【図１１】突合せ障子と障子ストッパー部分の斜視図である。
【図１２】召合せ框と障子ストッパーの当接状態を示す斜視図である。
【図１３】一方の突合せ障子の突合せ框部分の斜視図である。
【図１４】他方の突合せ障子の突合せ框部分の斜視図である。
【図１５】二つの突合せ框の突合せ状態の斜視図である。
【図１６】本発明の第２の実施の形態を示す下枠部分の縦断面図である。
【符号の説明】
【００３１】
１…サッシ枠、２…突合せ障子、３…戸当り障子、６…障子ストッパー、８…本体、９…当接材、１０…上枠、１１…下枠、１１ｃ…縦向面、１２…縦枠、２０…上框、２１…下框、２２…突合せ框、２２ａ…内面、２３…召合せ框、２３ａ内面、２５…凹陥部、３０…上框、３１…下框、３２…戸当り框、３３…召合せ框。
【図１】
2006063664.tif 000003
【図２】
2006063664.tif 000004
【図３】
2006063664.tif 000005
【図４】
2006063664.tif 000006
【図５】
2006063664.tif 000007
【図６】
2006063664.tif 000008
【図７】
2006063664.tif 000009
【図８】
2006063664.tif 000010
【図９】
2006063664.tif 000011
【図１０】
2006063664.tif 000012
【図１１】
2006063664.tif 000013
【図１２】
2006063664.tif 000014
【図１３】
2006063664.tif 000015
【図１４】
2006063664.tif 000016
【図１５】
2006063664.tif 000017
【図１６】
2006063664.tif 000018